(57)【特許請求の範囲】
【請求項１】
四辺形の底板と、底板の一方の対向した辺にそれぞれ回動可能に連結される一対の側板と、底板の他方の対向した辺にそれぞれ回動可能に連結される前面板と後面板、後面板の底板に連結される辺と対向した辺に回動可能に連結される蓋板、および側板の内側に位置決め係止される厚みの異なる複数のスペーサとを有し、上記各連結部分が、展開された状態でのみ外れるように係合してなる組立式の棒金輸送ケースであって、
上記両側板の内側両端には、それぞれ底板上に折立てられた前面板と後面板の側縁が係合可能な係合溝が設けられ、
蓋板の後面板に連結された箇所を除く内周縁には、底板上に折立てられた前面板と両側板をそれぞれ展開可能に係止する係止突縁が設けられており、
スペーサの取り替えにより、内部の収納スペースが金種に応じた大きさに変更され、かつ、箱状に組み立てられた状態で、蓋板と前面板が封印具を介して連結されることにより、不正な開放が防止されるようになされたことを特徴とする棒金輸送ケース。
【請求項２】
スペーサが対応する金種に応じて色分けされると共に、このスペーサの色を外部から視認し得るように、少なくとも側板が、透明あるいは半透明の合成樹脂で形成されていることを特徴とする請求項１記載の棒金輸送ケース。
【発明の詳細な説明】
【０００１】
【発明の属する技術分野】
本発明は、硬貨を所定枚数（通常は５０枚）棒状に梱包した所謂、棒金と称される硬貨単位を所定数、即ち、所定金額をユニットとして収納し、主として金融機関同士間の輸送の際に用いられる棒金輸送ケースに関する。
【０００２】
【従来の技術】
一般に金融機関などにおいて硬貨の過不足が生じた際には、金融機関同士の間で硬貨のやりとりがなされるが、この時、硬貨が正確な数量で、安全かつ確実に輸送されなくてはならない。
【０００３】
そこで、従来、このように硬貨をまとめて移動させる際には、底部が開放不可に組み立てられる紙箱に棒金（硬貨を５０枚並べて、棒状に紙でくるんだもの）を所定個数（通常、縦５個×横８個の計４０個）収納した後、蓋を閉め、この蓋が不正に開放されないように、蓋と箱の側面との間に封印紙を貼り付けるということが行われていた。なお、この紙箱は、収納する硬貨の種類により、硬貨を包んだ棒金の径と長さが相違するので、これに対応するように複数の大きさのものがあり、収納時の金種の誤りを防止するために、表面に金種を表示すると共に、箱自体を色分けしていた。
【０００４】
そして、このようにして硬貨の輸送に用いられた箱は、輸送後は嵩張るため通常、分解して展開された状態で収納保管され、使用する際に再度、箱状に組み立てるということが行われていた。そして、箱を再度棒金の輸送に用いる時は、封印紙の剥がし跡が残っていない個所に、新たに封印紙を貼り付け、このことで蓋の不正開放を防止するようにしていた。
【０００５】
なお、箱には、封印紙の貼り付け個所が、その使用回数と共に表示されている。つまり、最初に使用する時は、蓋と側面の▲１▼と表示された個所に封印紙を貼り付け、二回目に使用する時は、同様に▲２▼と表示された個所に封印紙を貼り付ける。このようにして、順次新たな個所に封印紙を貼り付け、このことで、封印紙の貼り直しがあると痕跡が残り、その不正な貼り直しを防止するようにしていた。なお、従来、この封印紙の貼り付け位置は、四個所まで設定されていた。このことから４回棒金の輸送に用いられた紙箱は、その機能を全うしたものとして廃棄処分されていた。
【０００６】
【発明が解決しようとする課題】
上述した従来の紙箱を用いた棒金の輸送では、収納された金種を外部から視認することができないので、金種に応じて異なる種類の紙箱を用意しなくてはならず、その管理が煩わしく、かつ必要とする時には、目的の紙箱を探し出す手間を要すると共に、その組立てにも手間を要するので、迅速に対応できないという問題点があった。また、内部が見えないので、誤って異なる金種の棒金が収納されるというおそれもあった。
【０００７】
さらに、この紙箱では、封印紙を箱の蓋と側面との間に貼り付け、蓋の不正開放を防止するようにしていたが、輸送の際に積み重ねられた紙箱同士が擦れ合って、この封印紙が不用意に剥がれてしまうおそれがあった。また、この種の封印紙は、熟練した者であれば、殆どその痕跡を残すことなく、貼り直すことが可能であり、しかも箱の内部は、外部から確認することができないので、収納された棒金がすり替えられたとしても、いつどこですり変えられたか全く気付かないおそれがあり、必ずしも安全確実な輸送を保証するものではなかった。
【０００８】
また、この紙箱は、通常４回の使用で廃棄されていたので、資源が無駄に浪費されると共に、一回当たりの輸送に対するコストは、必ずしも安いものではなかった。
【０００９】
本発明は、上記従来の棒金輸送用の紙箱が有していた問題点の解決を課題とする。
【００１０】
【課題を解決するための手段】
上記の課題を解決するために、本発明のうち、請求項１記載の発明は、棒金輸送ケースを、四辺形の底板と、底板の一方の対向した辺にそれぞれ回動可能に連結される一対の側板と、底板の他方の対向した辺にそれぞれ回動可能に連結される前面板と後面板、後面板の底板に連結される辺と対向した辺に回動可能に連結される蓋板、および側板の内側に位置決め係止される厚みの異なる複数のスペーサとで構成し、上記各連結部分が、展開された状態でのみ外れるように係合させてなる組立式のものとし、上記両側板の内側両端には、それぞれ底板上に折立てられた前面板と後面板の側縁が係合可能な係合溝を設け、蓋板の後面板に連結された箇所を除く内周縁には、底板上に折立てられた前面板と両側板をそれぞれ展開可能に係止する係止突縁を設け、このことでスペーサの取り替えにより、内部の収納スペースが金種に応じた大きさに変更可能とし、かつ、箱状に組み立てられた状態で、蓋板と前面板が封印具を介して連結されることにより、不正な開放が防止されるようにしたことを特徴とする。
【００１１】
請求項２記載の発明は、請求項１記載の発明の構成のうち、スペーサを対応する金種に応じて色分けすると共に、このスペーサの色を外部から視認し得るように、少なくとも側板が透明あるいは半透明の合成樹脂で形成されたものと限定したことを特徴とする。
【００１４】
【発明の実施の形態】
以下、本発明を図示した実施の形態に基づき詳細に説明する。
【００１５】
図１は、本発明に係る棒金輸送ケースの分解斜視図、図２は、その組立て状態の斜視図である。図示したように、この棒金輸送ケースは、四辺形の底板１の左右両側に、対になった側板２，３を回動可能に連結すると共に、その前後（図２において下側と上側）に、同様に対になった前面板５と後面板４をそれぞれ回動可能に連結し、さらに後面板４の後側（図２において上側）にも、底板１とほぼ同じ大きさの蓋板６を回動可能に連結したものであり、箱状に組み立てられるものである。
【００１６】
また、左右の側板２，３の内側には、スペーサ７，８が着脱可能に収納されるようになっている。
【００１７】
ここにおいて、上記各板１〜６並びにスペーサ７，８は、合成樹脂でそれぞれ後述する所定の形状に成形されている。
【００１８】
底板１は、図７乃至図９に示すように、上面の左右両側に、スペーサ７（または８）の下端の突片７ａ，８ａが係合する複数の係合溝１ａを設けたものであり、その周囲には、上述した側板２，３や前面板５および後面板４を回動可能に連結するための係合部１ｂが設けられている。この係合部１ｂは、下端が開放された筒形に形成された受部αを、所定間隔おきに列設してなる。
【００１９】
側板２（または３）は、図１１に示すように、その内側（図１において互いに対向する面）の左右両端に、前面板５と後面板４の側端が係合可能な係合溝２ｄ，２ｅを凹設し、その上端に一対の係止突縁（図１における符号２ｂ，２ｃ，３ｂ，３ｃ）を設けたものであり、その下端には、上記係合部１ａと係合可能な係合部２ａ（または３ａ）が設けられている。この係合部２ａは、図１１に示すように所定間隔おきに設けられた凹部γと凸部βとからなり、隣り合った凸部β，β間には、凹部γを横方向に跨ぐように軸部δが設けられている。ここにおいて、凹部γの幅は上記受部αの幅と略等しく、軸部δは、その外径が、受部αの内部の径とほぼ等しく設定されている。
【００２０】
蓋板６は、図３並びに図４に示すように後面板５に連結される係合部６ａが設けられた個所（図４において上側）を除いたその内周縁に、内方（図３において下側）に向かって突出した係止突縁６ｂを設けたものであり、その前端縁（図３において紙面の手前側）には、後述する一対の係止具１２，１３が左右方向にスライド可能に取り付けられている。また、前端縁の中央下部には、係止突片６ｄが設けられ、この係止突片６ｄに、後述する封印具９の先端が陥入可能な挿入孔６ｃを設けている。
【００２１】
後面板４は、図１０に示すように、その下端に側板２（または３）の下端に設けられたものと同様に、凹部γと凸部β及び軸部δとからなる係合部４ａが設けられ、上端に蓋板６に設けられたものと同様に複数の受部αからなる係合部４ｂが設けられたものである。
【００２２】
前面板５は、後面板４とほぼ同じ大きさのものであり、その下端には、後面板４と同様に、凹部γと凸部β及び軸部δからなる係合部５ａが設けられている。また、この前面板５の外側の中央部分には、図３に示すように把手１１が取り付けられ、この把手１１が取り付けられた個所に、封印具９の装着部５ｃを設けている。この装着部５ｃは、上端に開口５ｄを設け、この開口５ｄに連続した内部を広くすると共に、その下側を開放したものである。
【００２３】
スペーサ７（または８）は、図１２並びに図１３に示すように所定の厚み（図１３において左右方向の寸法）を有するトレイ状に合成樹脂で成形されたものであり、下端に底板１の係合溝１ｂと係合する突片７ａ（または８ａ）を有し、上端の片側に、側板２（または３）の内側の係止突縁２ｃ（または３ｃ）と係合するフック部７ｂ（または８ｂ）を設けたものである。ここにおいて、このスペーサ７（または８）は、側板２（または３）に接して、底板１に設けられた複数の係合溝１ａの何れかに係合し、取り付けられるように、厚さが異なるものが複数存在する。
【００２４】
図１１は、本発明の棒金輸送ケースに使用される封印具９の裏面図である。図示したようにこの封印具９は、板状部９ａの下方に一対の弾性抜止片９ｂ，９ｂを鉤状に連設したものであり、可撓性を有する合成樹脂で一体成形されている。また、上端の板状部９ａには、金種や金額などを表示した札１０が一体的に固定されている。
【００２５】
次に上記構成を有する本発明の棒金輸送ケースの使用法について述べる。
【００２６】
まず、使用に際して箱状に組み立てる必要があるが、この時、本発明の棒金輸送ケースでは、底板１の周囲に係合部１ａが設けられると共に、側板２，３と前面板５及び後面板４の下端に、この係合部１ａと係合する係合部２ａ，３ａ，４ａ，５ａが設けられているので、一方の係合部１ａの受部αを、他方の係合部２ａ（または３ａ，４ａ，５ａ）の凹部γに位置合せをし、凹部γに設けられた軸部δを受部αの内部に嵌め込めば、それぞれが回動可能に連結されることとなり、この状態で、底板１に連結された前面板５と後面板４を直角に折立て、次いで、左右の側板２，３を同様に折立てれば、側板２，３の両側の係合溝２ｄ，２ｅ（側板３については図示していない）にそれぞれ、前面板５と後面板４の側端が係合するので、容易に上面が開放された箱状に組み立てられる。
【００２７】
なお、この時、展開した状態で受部α内に軸部δを嵌め込み、係合させることは可能であるが、係合部１ａを中心に回動させると、凹部γの内端が受部αの表面に接して、その係合を外すことができないようになっている。
【００２８】
そして、側板２，３の内側に特定の厚みを有するスペーサ７，８を取り付け、この状態で、このスペーサ７，８に対応した金種の棒金（図示せず）を所定数、内部に収納し、後面板４の上部に上述したものと同様にして回動可能に連結された蓋板６を閉じると、左右の側板２，３と前面板５は、蓋板６の係止突縁６ａで展開不可に係止される。図２は、このようにして蓋板６が閉じられた状態の棒金輸送ケースの斜視図である。
【００２９】
また、図３と図４は、その正面図と平面図を示し、図５は、図３のＡ−Ａ線の断面図、図６は、図４のＢ−Ｂ線の断面図を示す。
【００３０】
よって、この状態で、蓋板６の前端縁にスライド可能に取り付けられた係止具１２，１３を互いに離れる方向にスライドさせると、この係止具１２，１３が、前面板５に設けられた突部５ｅ，５ｆと係合し、蓋板６を開放不可に保持する。次いで、係止具１２，１３をスライドさせることにより現れた係止突片６ｂの挿入孔６ｃから、前面板５の開口５ｄに封印具９の先端を差し込めば、封印具９の下端に鉤状に設けられた一対の弾性抜止片９ｂ，９ｂが開口５ｄの内部で拡がり、封印具９が前面板５に抜け落ちないように取り付けられる。このことで、蓋板６は係止突片６ｂ上に位置した封印具９の板状部９ａにより、その開放が阻止される。よって、封印具９を壊さない限り、このケースを開放することはできず、輸送時における棒金のすり替えなどの不正は、完全に防止される。また、この封印具９は、係止具１２，１３が係止状態を解除する方向に移動することも阻止するようにも機能し、このことで、係止具１２，１３の係止状態が外れて蓋体６が不用意に開放されるおそれもない。
【００３１】
なお、棒金は、金種によってその大きさが異なるが、スペーサ７，８を取り替えることにより、その収納スペースを対応した大きさに変更し、このことで、所定数量の棒金が隙間無く、収納されるものである。なお、スペーサ７，８をその厚みで色分けすれば、この棒金輸送ケースが、どの金種の棒金に対応したものとなっているかが、一目で分かることとなり、望ましい。さらに、側板２，３など棒金輸送ケースの一部、あるいは、その全体を透明あるいは半透明の合成樹脂で形成することとすれば、収納された棒金を外部から視認することができると共に、スペーサ７，８の色を確認して、収納されている棒金の金種を判断することも可能となり、ミスなく、安全に棒金の輸送が可能となる。
【００３２】
また、この棒金輸送ケースを開封するには、封印具９の板状部９ａの下側にドライバーなどを差し込み、板状部９ａをこじ上げたり、あるいは板状部９ａの後側にコインなどを差し込んで、この板状部９ａを前方に折り曲げたりすれば良く、このことで封印具９が壊され、蓋板６の開放が可能となる。なお、装着部５ｃ内に切れ残った封印具９の下半部分は、装着部５ｃの下方に設けられた開口（図示せず）からケースの外部に落下するようになっている。ここにおいて、前記開口は、外部からの封印具９ａの不正な解除操作を防止するため、外部から直接、封印具９に臨むことができない位置に設けられている。
【００３３】
なお、この封印具９は、一回限りの使用であるが、合成樹脂材で形成され、かつ極めて小さいものであるので、資源の消費は最少限に抑えられる。また、再利用可能な合成樹脂を使用し、回収することとすれば、一層資源の無駄が少なくなる。
【００３４】
以上のようにして本発明の棒金輸送ケースは用いられ、使用後は嵩張らないように展開し、あるいは分解して、保管されるものである。
【００３５】
なお、上記の使用法では、棒金輸送ケースを上面が開放された箱状に組み立ててから棒金を収納するようにした例を示したが、前面板５と後面板４と一方の側板２（または３）のみを折立て、他方の側板３（または２）が開放された状態で、ここから棒金の収納、取り出しを行うようにしても良く、その取扱い方は、必ずしも上記使用例に限るものではない。
【００３６】
また、上記の実施の形態では、内部を視認できるように透明あるいは半透明な合成樹脂で棒金輸送ケースを構成した例を示したが、その適宜個所に透孔やスリットなどを設け、内部を覗けるようにしても良く、このような場合、合成樹脂は必ずしも透明や半透明でなくても良い。
【００３７】
さらにまた、上記の実施の形態では、棒金の輸送を例に説明したが、この棒金ケースは不正な開放が防止されるようになっているので、封印具９の札１０などに適宜、対応した表示を施せば、紙幣を収納し、その輸送に利用することも可能である。
【００３８】
【発明の効果】
以上説明したように、本発明のうち、請求項１記載の発明は、棒金輸送ケースを容易に展開、組立てができるようにし、封印具でその不正開放を防止することとしたので、従来の紙製の輸送箱に比し、棒金の輸送が安全、かつ確実に行えると共に、不使用時には嵩張らないように収納保管することができる。また、スペーサを取り替えることにより、収納スペースを金種に応じた大きさに変更できるようにしたので、収納する棒金の数を間違うおそれがなくなると共に、輸送時に収納された棒金が、がたつき、その梱包がやぶれたりするおそれもなくなる。また、連結部分を展開された状態でのみ外れるように構成したので、その機能を損なうことなく、部品の取り替えが可能となる。よって、この棒金輸送ケースは、長期間にわたって繰り返し使用することができ、紙製のものに比し、ゴミの量が削減されると共に、資源の無駄も少なくなり、使用一回あたりのコストも低減されるという効果がある。
【００３９】
また、請求項２記載の発明は、金種に応じて使用するスペーサを色分けすると共に、この色を外部から視認できるようにしたので、収納されている金種を容易に外部から確認することができ、金種の間違いによるトラブルが未然回避されるという効果がある。
【図面の簡単な説明】
【図１】本発明に係る棒金輸送ケースの分解斜視図である。
【図２】図１に示した棒金輸送ケースの組立状態の斜視図である。
【図３】棒金輸送ケースの正面図である。
【図４】棒金輸送ケースの平面図である。
【図５】図３のＡ−Ａ線の断面図である。
【図６】図４のＢ−Ｂ線の断面図である。
【図７】底板の平面図である。
【図８】底板の裏面図である。
【図９】底板の断面図である。
【図１０】後面板の正面図である。
【図１１】側板の正面図である。
【図１２】スペーサの斜視図である。
【図１３】スペーサの断面図である。
【図１４】封印具の裏面図である。
【符号の説明】
１  底板
１ａ  係合部
１ｂ  係合溝
２，３  側板
２ａ，３ａ  係合部
２ｂ，２ｃ，３ｂ，３ｃ  係止突縁
２ｄ，２ｅ  係合溝
４  後面板
４ａ，４ｂ  係合部
５  前面板
５ａ  係合部
５ｂ  係止突縁
５ｃ  装着部
５ｄ  開口
５ｅ，５ｆ  突部
６  蓋板
６ａ  係合部
６ｂ  係止突縁
６ｃ  挿入孔
６ｄ  係止突片
７，８  スペーサ
７ａ，８ａ  突片
７ｂ，８ｂ  フック部
９  封印具
９ａ  板状部
９ｂ  弾性抜止片
１０  札
１１  把手
１２，１３  係止具
【図１】
0004174653.tif 000002
【図２】
0004174653.tif 000003
【図３】
0004174653.tif 000004
【図４】
0004174653.tif 000005
【図５】
0004174653.tif 000006
【図６】
0004174653.tif 000007
【図７】
0004174653.tif 000008
【図８】
0004174653.tif 000009
【図９】
0004174653.tif 000010
【図１０】
0004174653.tif 000011
【図１１】
0004174653.tif 000012
【図１２】
0004174653.tif 000013
【図１３】
0004174653.tif 000014
【図１４】
0004174653.tif 000015